【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
画像全体をｎ×ｍ画素（ｎ，ｍは４以上の自然数）のブロックに切り分けるブロック分割手段と、
前記ブロックの外縁部分のみの画素値から、該外縁部分を近似する斜面を特定するパラメータを求める外縁斜面算出手段と、
前記斜面と前記ブロック内の各画素値との差分を算出することでｎ×ｍ個の補正値を算出する補正値算出手段と、
前記補正値を非可逆符号化するとともに、該符号化補正値と前記斜面を特定するパラメータとを可逆符号化する符号化手段と
を備えたことを特徴とする画像圧縮装置。
【請求項２】
前記符号化手段は、前記ｎ×ｍ個の補正値の各々について正負を１ビットで表現する符号計算手段と、ブロック内の補正値を統計的に処理することで、前記ブロックの補正値の変動の大きさを示す値を求める統計的計算手段を含むことを特徴とする請求項１に記載の画像圧縮装置。
【請求項３】
前記斜面を特定するパラメータにおける斜面の傾きの大きさを示す値と、前記補正値の変動の大きさを示す値とを比較し、該補正値の変動の大きさが斜面の傾きに比べて所定の比率より大きくなった場合に、基準面を傾きのない平面として再近似し、斜面の傾きの大きさを示す値を削除することを特徴とする請求項２に記載の画像圧縮装置。
【請求項４】
前記補正値の変動の大きさを示す値が所定の値より小さい場合に、前記補正値を削除することを特徴とする請求項２に記載の画像圧縮装置。
【請求項５】
外縁斜面算出手段は、前記ブロックの周囲から一定幅の領域内にある画素の値に対して統計処理を行うことにより、前記斜面の大きさを求めることを特徴とする請求項１から４のいずれかに記載の画像圧縮装置。
【請求項６】
画像データを非可逆圧縮する画像圧縮方法であって、
画像全体をｎ×ｍ画素（ｎ，ｍは４以上の自然数）のブロックに切り分けるブロック分割過程と、
前記ブロックの外縁部分のみの画素値から、該外縁部分を近似する斜面を特定するパラメータを求める外縁斜面算出過程と、
前記斜面と前記ブロック内の各画素値との差分を算出することでｎ×ｍ個の補正値を算出する補正値算出過程と、
前記補正値を非可逆符号化するとともに、該符号化補正値と前記斜面を特定するパラメータとを可逆符号化する符号化過程と
を有することを特徴とする画像圧縮方法。
【請求項７】
前記符号化過程は、前記ｎ×ｍ個の補正値の各々について正負を１ビットで表現するとともに、各補正値の絶対値に対し統計処理を行い、補正の大きさを示す統計的指標を求め全ての補正値の振幅値とすることにより非可逆符号化することを特徴とする請求項６に記載の画像圧縮方法。
【請求項８】
前記斜面を特定するパラメータにおける斜面の傾きの大きさを示す値と、前記補正値の振幅値とを比較し、該補正値の振幅値が斜面の傾きの大きさの値に比べて所定の比率より大きくなった場合に、基準面を傾きのない平面として再近似し、斜面の傾きの大きさを示す値を削除することを特徴とする請求項７に記載の画像圧縮方法。
【請求項９】
前記補正値の振幅値が所定の値より小さい場合に、前記補正値を削除することを特徴とする請求項７に記載の画像圧縮方法。
【請求項１０】
外縁斜面算出過程は、前記ブロックの周囲から一定幅の領域内にある画素の値に対して統計処理を行うことにより、前記斜面の大きさを求めることを特徴とする請求項６から９のいずれかに記載の画像圧縮方法。
【請求項１１】
画像データを非可逆圧縮する画像圧縮プログラムであって、
画像全体をｎ×ｍ画素（ｎ，ｍは４以上の自然数）のブロックに切り分けるブロック分割処理と、
前記ブロックの外縁部分のみの画素値から、該外縁部分を近似する斜面を特定するパラメータを求める外縁斜面算出処理と、
前記斜面と前記ブロック内の各画素値との差分を算出することでｎ×ｍ個の補正値を算出する補正値算出処理と、
前記補正値を非可逆符号化するとともに、該符号化補正値と前記斜面を特定するパラメータとを可逆符号化する符号化処理と
をコンピュータに行わせることを特徴とする画像圧縮プログラム。
【請求項１２】
前記符号化処理は、前記ｎ×ｍ個の補正値の各々について正負を１ビットで表現するとともに、各補正値の絶対値に対し統計処理を行い、補正の大きさを示す統計的指標を求め全ての補正値の振幅値とすることにより非可逆符号化することを特徴とする請求項１１に記載の画像圧縮プログラム。
【手続補正２】
【補正対象書類名】明細書
【補正対象項目名】０００９
【補正方法】変更
【補正の内容】
【０００９】
【課題を解決するための手段】
請求項１に記載の発明は、画像全体をｎ×ｍ画素（ｎ，ｍは４以上の自然数）のブロックに切り分けるブロック分割手段と、前記ブロックの外縁部分のみの画素値から、該外縁部分を近似する斜面を特定するパラメータを求める外縁斜面算出手段と、前記斜面と前記ブロック内の各画素値との差分を算出することでｎ×ｍ個の補正値を算出する補正値算出手段と、前記補正値を非可逆符号化するとともに、該符号化補正値と前記斜面を特定するパラメータとを可逆符号化する符号化手段とを備えたことを特徴とする。
請求項２に記載の発明は、前記符号化手段は、前記ｎ×ｍ個の補正値の各々について正負を１ビットで表現する符号計算手段と、ブロック内の補正値を統計的に処理することで、前記ブロックの補正値の変動の大きさを示す値を求める統計的計算手段を含むことを特徴とする。
【手続補正３】
【補正対象書類名】明細書
【補正対象項目名】００１０
【補正方法】変更
【補正の内容】
【００１０】
請求項３に記載の発明は、前記斜面を特定するパラメータにおける斜面の傾きの大きさを示す値と、前記補正値の変動の大きさを示す値とを比較し、該補正値の変動の大きさが斜面の傾きに比べて所定の比率より大きくなった場合に、基準面を傾きのない平面として再近似し、斜面の傾きの大きさを示す値を削除することを特徴とする。
請求項４に記載の発明は、前記補正値の変動の大きさを示す値が所定の値より小さい場合に、前記補正値を削除することを特徴とする。
【手続補正４】
【補正対象書類名】明細書
【補正対象項目名】００１１
【補正方法】変更
【補正の内容】
【００１１】
請求項５に記載の発明は、外縁斜面算出手段は、前記ブロックの周囲から一定幅の領域内にある画素の値に対して統計処理を行うことにより、前記斜面の大きさを求めることを特徴とする。
請求項６に記載の発明は、画像データを非可逆圧縮する画像圧縮方法であって、画像全体をｎ×ｍ画素（ｎ，ｍは４以上の自然数）のブロックに切り分けるブロック分割過程と、前記ブロックの外縁部分のみの画素値から、該外縁部分を近似する斜面を特定するパラメータを求める外縁斜面算出過程と、前記斜面と前記ブロック内の各画素値との差分を算出することでｎ×ｍ個の補正値を算出する補正値算出過程と、前記補正値を非可逆符号化するとともに、該符号化補正値と前記斜面を特定するパラメータとを可逆符号化する符号化過程とを有することを特徴とする。
【手続補正５】
【補正対象書類名】明細書
【補正対象項目名】００１２
【補正方法】変更
【補正の内容】
【００１２】
請求項７に記載の発明は、前記符号化過程は、前記ｎ×ｍ個の補正値の各々について正負を１ビットで表現するとともに、各補正値の絶対値に対し統計処理を行い、補正の大きさを示す統計的指標を求め全ての補正値の振幅値とすることにより非可逆符号化することを特徴とする。
請求項８に記載の発明は、前記斜面を特定するパラメータにおける斜面の傾きの大きさを示す値と、前記補正値の振幅値とを比較し、該補正値の振幅値が斜面の傾きの大きさの値に比べて所定の比率より大きくなった場合に、基準面を傾きのない平面として再近似し、斜面の傾きの大きさを示す値を削除することを特徴とする。
【手続補正６】
【補正対象書類名】明細書
【補正対象項目名】００１３
【補正方法】変更
【補正の内容】
【００１３】
請求項９に記載の発明は、前記補正値の振幅値が所定の値より小さい場合に、前記補正値を削除することを特徴とする。
請求項１０に記載の発明は、外縁斜面算出過程は、前記ブロックの周囲から一定幅の領域内にある画素の値に対して統計処理を行うことにより、前記斜面の大きさを求めることを特徴とする。
【手続補正７】
【補正対象書類名】明細書
【補正対象項目名】００１４
【補正方法】変更
【補正の内容】
【００１４】
請求項１１に記載の発明は、画像データを非可逆圧縮する画像圧縮プログラムであって、画像全体をｎ×ｍ画素（ｎ，ｍは４以上の自然数）のブロックに切り分けるブロック分割処理と、前記ブロックの外縁部分のみの画素値から、該外縁部分を近似する斜面を特定するパラメータを求める外縁斜面算出処理と、前記斜面と前記ブロック内の各画素値との差分を算出することでｎ×ｍ個の補正値を算出する補正値算出処理と、前記補正値を非可逆符号化するとともに、該符号化補正値と前記斜面を特定するパラメータとを可逆符号化する符号化処理とをコンピュータに行わせることを特徴とする。
請求項１２に記載の発明は、前記符号化処理は、前記ｎ×ｍ個の補正値の各々について正負を１ビットで表現するとともに、各補正値の絶対値に対し統計処理を行い、補正の大きさを示す統計的指標を求め全ての補正値の振幅値とすることにより非可逆符号化することを特徴とする。